(57)【要約】【課題】微生物の活動によって生成する硫化水素やメチルメルカプタン等に由来する臭気を長期間にわたって抑制することが可能で、比較的毒性が低く、かつ安価な臭気発生物質の臭気抑制方法及び臭気抑制用組成物を提供する。【解決手段】臭気発生物質に、硝酸又はその塩（硝酸系物質）、並びにギ酸又はその塩（ギ酸系物質）を、前記臭気発生物質中における前記硝酸系物質の濃度が、硝酸イオン濃度として５０〜１０００ｍｇ／Ｌとなるように、また、前記臭気発生物質中における前記ギ酸系物質の濃度が、ギ酸イオン濃度として１０〜５００ｍｇ／Ｌとなるように、前記臭気発生物質中に添加することによって、臭気発生物質から発生する臭気を抑制する。【選択図】なし【特許請求の範囲】
【請求項１】
臭気発生物質から発生する臭気を抑制する臭気発生物質の臭気抑制方法であって、
臭気発生物質に、硝酸又はその塩（硝酸系物質）、並びにギ酸又はその塩（ギ酸系物質）を、前記臭気発生物質中における前記硝酸系物質の濃度が、硝酸イオン濃度として５０〜１０００ｍｇ／Ｌとなるように、また、前記臭気発生物質中における前記ギ酸系物質の濃度が、ギ酸イオン濃度として１０〜５００ｍｇ／Ｌとなるように、前記臭気発生物質中に添加することを特徴とする臭気発生物質の臭気抑制方法。
【請求項２】
前記臭気発生物質は、下水処理場における以下の（１）〜（４）のいずれかである請求項１に記載の臭気発生物質の臭気抑制方法。
（１）最初沈澱池で発生する汚泥及びその濃縮物
（２）最終沈澱池で発生する汚泥及びその濃縮物
（３）（１）及び（２）の混合物
（４）脱水ケーキ
【請求項３】
前記臭気発生物質から発生する臭気は、硫化水素又はメチルメルカプタン由来の臭気である請求項１又は２に記載の臭気発生物質の臭気抑制方法。
【請求項４】
前記硝酸系物質及び前記ギ酸系物質は、前記臭気発生物質中に、一括して同時に添加される請求項１〜３のいずれかに記載の臭気発生物質の臭気抑制方法。
【請求項５】
臭気発生物質中に添加されて、その臭気発生物質から発生する臭気を抑制する臭気抑制用組成物であって、
硝酸又はその塩（硝酸系物質）、並びにギ酸又はその塩（ギ酸系物質）を、前記臭気発生物質中における前記硝酸系物質の濃度が、硝酸イオン濃度として５０〜１０００ｍｇ／Ｌとなるように、また、前記臭気発生物質中における前記ギ酸系物質の濃度が、ギ酸イオン濃度として１０〜５００ｍｇ／Ｌとなるように、前記臭気発生物質中に含有させることを特徴とする臭気抑制用組成物。
【請求項６】
前記臭気発生物質は、下水処理場における以下の（１）〜（４）のいずれかである請求項５に記載の臭気抑制用組成物。
（１）最初沈澱池で発生する汚泥及びその濃縮物
（２）最終沈澱池で発生する汚泥及びその濃縮物
（３）（１）及び（２）の混合物
（４）脱水ケーキ
【請求項７】
前記臭気発生物質から発生する臭気は、硫化水素又はメチルメルカプタン由来の臭気である請求項５又は６に記載の臭気抑制用組成物。
【発明の詳細な説明】
【技術分野】
【０００１】
本発明は、臭気発生物質の臭気抑制方法及び臭気抑制用組成物に関する。さらに詳しくは、本発明は、例えば、下水処理場の脱水ケーキ等から微生物の活動によって発生する硫化水素やメチルメルカプタン等に由来する臭気を長期間にわたって抑制することが可能で、比較的毒性が低く、かつ安価な臭気発生物質の臭気抑制方法及び臭気抑制用組成物に関する。
【背景技術】
【０００２】
従来、下水処理場においては、最初沈澱池から発生する汚泥や最終沈澱池から発生する汚泥や脱水ケーキ等においては、しばしば硫化水素やメチルメルカプタンに由来する臭気が発生する。脱水ケーキから発生するメチルメルカプタンは、主として含硫黄タンパク質の分解によって生じるものであることが開示されている（例えば、特許文献１参照）。また、硫化水素は、有機体の硫黄の微生物分解や、硫酸イオンの生物的還元作用により生じると考えられる。
【０００３】
また、下水処理場の排水中などから発生する硫化水素の発生は、排水中等に生息している硫酸還元菌が硫酸塩を還元して発生するものであることが開示されている（例えば、特許文献２参照）。一方、表１に示すように、発明者等の検討によると、下水処理場の最初沈殿池から発生する汚泥、最終沈澱池から発生する汚泥、脱水ケーキには、いずれも硫酸イオンが含まれていないにも関わらず、硫化水素が発生することが確認された。したがって、下水処理場の最初沈殿池から発生する汚泥、最終沈澱池から発生する汚泥、脱水ケーキから発生する硫化水素が、主として硫酸還元菌による硫酸イオンの還元に由来するとは考えがたく、この硫化水素の発生は、主として微生物による有機体硫黄（例えば、タンパク質中のシステイン残基等）の分解によって生じるものであると考えられる。
【０００４】
さらに、下水処理場において、脱水ケーキ等から発生する硫化水素やメチルメルカプタン等に由来する臭気を抑制する方法として、下水処理場で発生した汚泥を濃縮したのち、この濃縮汚泥スラリーに過酸化物を除く酸化剤と、所定量の亜硝酸塩とを併用して添加し、さらに脱水機により脱水する脱臭（臭気の抑制）方法が提案されている（例えば、特許文献３参照）。
【０００５】
2015085293.tif 000002
【０００６】
表１より、各処理場のそれぞれの汚泥中には、硫酸イオンがほとんど含まれていないにも関わらず、硫化水素の発生が認められる。したがって、硫化水素の発生は、主に硫酸還元菌によるものではないと考えられる。
【０００７】
なお、各処理場から採取した汚泥中の硫酸イオン濃度の測定及び硫化水素発生能の評価は、以下のように行った。
【０００８】
（硫酸イオン濃度の測定）
各処理場から採取した汚泥について、５Ａろ紙を用いてろ過して得られたろ液について、検出器に電気伝導度検出器を用いたイオンクロマトグラフにより、硫酸イオン濃度を決定した。
【０００９】
（硫化水素発生能の評価）
容量５００ｍＬの蓋つきのポリプロピレン製の容器に、採取した汚泥を２００ｍＬ添加した後に、密封して２０℃で２４時間静置した。容器を開封して、直ちに、ガステック社製の検知管を用いて容器内の気相中の硫化水素濃度を測定した。
【先行技術文献】
【特許文献】
【００１０】
【特許文献１】特許第３７００５５０号公報
【特許文献２】特許第３９５１２７６号公報
【特許文献３】特許第３６７４９３９号公報
【発明の概要】
【発明が解決しようとする課題】
【００１１】
上述の特許文献３に記載された脱水ケーキの脱臭方法は、開放系に保管される脱水ケーキを含めた下水処理工程全般における脱臭手段として、消臭能力の高い亜硝酸塩を有効に利用したもので、一定の脱臭効果を発揮するものであるが、亜硝酸塩が残留して環境問題となったり、発がん性物質の原因物質となる等、比較的毒性が高いという問題があった。
【００１２】
本発明は、上述の問題に鑑みて、なされたもので、微生物の活動によって生成する硫化水素やメチルメルカプタン等に由来する臭気を長期間にわたって抑制することが可能で、比較的毒性が低く、かつ安価な臭気発生物質の臭気抑制方法及び臭気抑制用組成物を提供することを目的とする。
【課題を解決するための手段】
【００１３】
本発明者等は、上記目的を達成するため、鋭意研究した結果、工業生産量が大きく安価に入手可能で、亜硝酸塩よりも環境毒性等の低い硝酸又は硝酸塩と、ギ酸又はギ酸塩とを、臭気発生物質に添加することによって、臭気発生物質から生成される硫化水素やメチルメルカプタン等に由来する臭気を長期間にわたって抑制することが可能なことを見出し、本発明を完成させた。すなわち、本発明によれば、以下の臭気発生物質の臭気抑制方法及び臭気抑制用組成物が提供される。
【００１４】
［１］臭気発生物質から発生する臭気を抑制する臭気発生物質の臭気抑制方法であって、臭気発生物質に、硝酸又はその塩（硝酸系物質）、並びにギ酸又はその塩（ギ酸系物質）を、前記臭気発生物質中における前記硝酸系物質の濃度が、硝酸イオン濃度として５０〜１０００ｍｇ／Ｌとなるように、また、前記臭気発生物質中における前記ギ酸系物質の濃度が、ギ酸イオン濃度として１０〜５００ｍｇ／Ｌとなるように、前記臭気発生物質中に添加することを特徴とする臭気発生物質の臭気抑制方法。
【００１５】
［２］前記臭気発生物質は、下水処理場における以下の（１）〜（４）のいずれかである前記［１］に記載の臭気発生物質の臭気抑制方法。
（１）最初沈澱池で発生する汚泥及びその濃縮物
（２）最終沈澱池で発生する汚泥及びその濃縮物
（３）（１）及び（２）の混合物
（４）脱水ケーキ
【００１６】
［３］前記臭気発生物質から発生する臭気は、硫化水素又はメチルメルカプタン由来の臭気である前記［１］又は［２］に記載の臭気発生物質の臭気抑制方法。
【００１７】
［４］前記硝酸系物質及び前記ギ酸系物質は、前記臭気発生物質中に、一括して同時に添加される前記［１］〜［３］のいずれかに記載の臭気発生物質の臭気抑制方法。
【００１８】
［５］臭気発生物質中に添加されて、その臭気発生物質から発生する臭気を抑制する臭気抑制用組成物であって、硝酸又はその塩（硝酸系物質）、並びにギ酸又はその塩（ギ酸系物質）を、前記臭気発生物質中における前記硝酸系物質の濃度が、硝酸イオン濃度として５０〜１０００ｍｇ／Ｌとなるように、また、前記臭気発生物質中における前記ギ酸系物質の濃度が、ギ酸イオン濃度として１０〜５００ｍｇ／Ｌとなるように、前記臭気発生物質中に含有させることを特徴とする臭気抑制用組成物。
【００１９】
［６］前記臭気発生物質は、下水処理場における以下の（１）〜（４）のいずれかである前記［５］に記載の臭気抑制用組成物。
（１）最初沈澱池で発生する汚泥及びその濃縮物
（２）最終沈澱池で発生する汚泥及びその濃縮物
（３）（１）及び（２）の混合物
（４）脱水ケーキ
【００２０】
［７］前記臭気発生物質から発生する臭気は、硫化水素又はメチルメルカプタン由来の臭気である前記［５］又は［６］に記載の臭気抑制用組成物。
【発明の効果】
【００２１】
本発明によって、微生物の活動によって生成する硫化水素やメチルメルカプタン等に由来する臭気を長期間にわたって抑制することが可能で、比較的毒性が低く、かつ安価な臭気発生物質の臭気抑制方法及び臭気抑制用組成物が提供される。
【発明を実施するための形態】
【００２２】
１．臭気発生物質の臭気抑制方法
本実施の形態の臭気発生物質の臭気抑制方法は、臭気発生物質から発生する臭気を抑制する臭気発生物質の臭気抑制方法であって、臭気発生物質に、硝酸又はその塩（以下、硝酸系物質ということがある）、並びにギ酸又はその塩（以下、ギ酸系物質ということがある）を、臭気発生物質中における硝酸系物質の濃度が、硝酸イオン濃度として５０〜１０００ｍｇ／Ｌとなるように、また、臭気発生物質中におけるギ酸系物質の濃度が、ギ酸イオン濃度として１０〜５００ｍｇ／Ｌとなるように、臭気発生物質中に添加することを特徴とするものである。以下、構成要素ごとに説明する。
【００２３】
（１−１：臭気発生物質）
以下に、本発明が適用される臭気発生物質について、下水処理の工程の一例を用いて説明する。処理すべき下水の原水は、最初沈殿池で初沈生汚泥として分離された後、汚泥濃縮槽で濃縮される（ここでの初沈生汚泥及び濃縮物が臭気発生物質となる）。最初沈殿池の上澄水は、必要に応じて凝集剤を添加したのち曝気槽へ送られ、活性汚泥法により微生物的処理が行われる。曝気槽の処理水は、必要に応じて凝集剤を添加した後、最終沈殿池で汚泥として分離された後、汚泥濃縮槽で濃縮される（ここでの汚泥及び濃縮物が臭気発生物質となる）。分離された汚泥及び汚泥濃縮槽で濃縮された汚泥は、最初沈澱池で発生するものと最終沈澱池で発生するものとを別個に（上述のように、最初沈澱池及び最終沈澱池での汚泥及び濃縮物が臭気発生物質となる）又はその混合物（この混合物が臭気発生物質となる）として、汚泥貯留槽に送られ、脱水機により脱水され、脱水ケーキ（この脱水ケーキが臭気発生物質となる）として搬出される。
【００２４】
すなわち、本発明が適用される臭気発生物質としては、例えば、下水処理場の処理工程等において発生する以下の（１）〜（４）のいずれかを挙げることができる。
（１）最初沈澱池で発生する汚泥及びその濃縮物
（２）最終沈澱池で発生する汚泥及びその濃縮物
（３）（１）及び（２）の混合物
（４）脱水ケーキ
【００２５】
（１−２：臭気）
上述の臭気発生物質から発生する臭気としては、例えば、微生物の活動によって生成する硫化水素又はメチルメルカプタン由来の臭気を挙げることができる。これらの臭気が、環境や人間生活に及ぼす影響が大きいため、臭気の抑制が必要となる。特に、脱水ケーキは、開放系で運搬、保管される場合が多いので、その臭気の抑制が重要となる。
【００２６】
（１−３：添加物質）
本実施の形態の臭気発生物質の臭気抑制方法において、臭気発生物質から発生する臭気を抑制するために用いられる、臭気発生物質に添加される物質は、硝酸又はその塩（硝酸系物質）、並びにギ酸又はその塩（ギ酸系物質）である。
【００２７】
このように、硝酸系物質とギ酸系物質との組み合わせが臭気発生物質から発生する臭気の抑制に効果的であるメカニズムについては、必ずしも定かではないが、臭気発生物質に添加された硝酸系物質が硝酸還元菌の「硝酸還元」作用によって、硝酸から亜硝酸に還元されて、その亜硝酸の臭気の抑制（脱臭）作用によって、例えば、硫化水素又はメチルメルカプタン由来の臭気の抑制が実現されるとともに、亜硝酸還元菌の「脱窒」作用の次段階への進行、すなわち亜硝酸から窒素への還元反応の進行がギ酸系物質によって適度に抑えられて、臭気の抑制が長時間維持されるものと推定される。
【００２８】
（１−３−１：硝酸系物質）
硝酸系物質のうち、硝酸は、例えば、廃酸として安価に入手可能なものを好適に用いることができるが、特に制限はない。硝酸塩としては、例えば、硝酸ナトリウム、硝酸カルシウム、硝酸アルミニウム、硝酸第１鉄、硝酸第２鉄、硝酸アンモニウム、硝酸亜鉛、硝酸グアニジニウムを挙げることができる。中でも、硝酸ナトリウム及び硝酸カルシウムが好ましい。
【００２９】
添加時期としては、特に制限はなく、例えば、後述するギ酸系物質と一括して同時に添加してもよく、別々に添加してもよい。中でも、後述するギ酸系物質と一括して同時に添加することが添加のための労力の削減の面から好ましい。
【００３０】
添加量は、臭気発生物質中における硝酸系物質の濃度が、通常、硝酸イオン濃度として５０〜１０００ｍｇ／Ｌとなるように、臭気発生物質中に添加され、硝酸イオン濃度として１００〜５００ｍｇ／Ｌとなるように添加されることが好ましい。１０００ｍｇ／Ｌを超えると、費用が大になりすぎ、５０ｍｇ／Ｌ未満であると、十分な臭気発生の抑制効果が得られない。
【００３１】
添加方法としては、特に制限はないが、例えば、水溶液としてポンプを用いて添加することを挙げることができる。
【００３２】
（１−３−２：ギ酸系物質）
ギ酸系物質は、例えば、ギ酸、ギ酸カルシウム、ギ酸アンモニウム、ギ酸ナトリウムを挙げることができる。中でも、ギ酸、ギ酸ナトリウム及びギ酸カルシウムが好ましい。
【００３３】
添加時期としては、特に制限はなく、上述の硝酸系物質と一括して同時に添加してもよく、別々に添加してもよい。中でも、硝酸系物質との混合水溶液とすることが添加の容易さの面から好ましい。
【００３４】
添加量は、臭気発生物質中におけるギ酸系物質の濃度が、通常、１０〜５００ｍｇ／Ｌとなるように、臭気発生物質中に添加され、２５〜４００ｍｇ／Ｌとなるように添加されることが好ましい。５００ｍｇ／Ｌを超えると、費用が大になりすぎ、１０ｍｇ／Ｌ未満であると、十分な臭気発生の抑制効果が得られない。
【００３５】
添加方法としては、特に制限はないが、例えば、硝酸系物質との混合水溶液としてポンプを用いて添加することを挙げることができる。
【００３６】
２．臭気抑制用組成物
本実施の形態の臭気抑制用組成物は、臭気発生物質中に添加されて、その臭気発生物質から発生する臭気を抑制する臭気抑制用組成物であって、硝酸又はその塩（以下、硝酸系物質ということがある）、並びにギ酸又はその塩（以下、ギ酸系物質ということがある）を、臭気発生物質中における前記硝酸系物質の濃度が、硝酸イオン濃度として５０〜１０００ｍｇ／Ｌとなるように、また、臭気発生物質中におけるギ酸系物質の濃度が、ギ酸イオン濃度として１０〜５００ｍｇ／Ｌとなるように、臭気発生物質中に含有させることを特徴とするものである。
【００３７】
本実施の形態の臭気抑制用組成物で用いられる臭気発生物質及び臭気、並びに本実施の形態の臭気抑制用組成物を構成する硝酸系物質及びギ酸系物質としては、上述の臭気発生物質の臭気抑制方法で用いられるものと同様のものを用いることができる。
【００３８】
ただし、硝酸系物質の含有量は、臭気発生物質中における硝酸系物質の濃度が、通常、硝酸イオン濃度として５０〜１０００ｍｇ／Ｌとなるように臭気発生物質中に含有され、硝酸イオン濃度として１００〜５００ｍｇ／Ｌとなるように含有されることが好ましい。１０００ｍｇ／Ｌを超えると、費用が大になりすぎ、５０ｍｇ／Ｌ未満であると、十分な臭気発生の抑制効果が得られない。
【００３９】
また、ギ酸系物質の含有量は、臭気発生物質中におけるギ酸系物質の濃度が、通常、１０〜５００ｍｇ／Ｌとなるように、臭気発生物質中に含有され、２５〜４００ｍｇ／Ｌとなるように含有されることが好ましい。５００ｍｇ／Ｌを超えると、費用が大になりすぎ、１０ｍｇ／Ｌ未満であると、十分な臭気発生の抑制効果が得られない。
【００４０】
含有させる方法としては、特に制限はないが、例えば、水溶液とすることを挙げることができる。
【００４１】
本実施の形態の臭気抑制用組成物には、上述の硝酸系物質及びギ酸系物質に加えて、例えば、ｐＨ調整剤を含有させることができる。
【実施例】
【００４２】
以下に、本発明の臭気発生物質の臭気抑制方法及び臭気抑制用組成物を、実施例を用いてさらに具体的に説明する。なお、本発明は、以下の実施例によって、いかなる制限を受けるものではない。
【００４３】
（実施例１）
容量５００ｍＬの蓋つきのポリプロピレン製の容器に、下水処理場より採取した最初沈澱池汚泥（ＳＳ濃度＝１４，０００ｍｇ／Ｌ）と余剰汚泥（ＳＳ＝１３，０００ｍｇ／Ｌ）とを等量混合した混合汚泥を２００ｍＬ添加した後に、硝酸系物質として、硝酸ナトリウム（以下、硝酸Ｎａということがある）を添加濃度が３００ｍｇ／Ｌとなるように、また、ギ酸系物質として、ギ酸を添加濃度が１００ｍｇ／Ｌとなるように、それぞれ一括して同時に添加し、密封して２０℃で静置した。２４時間又は４８時間後、容器を開封して、直ちに、ガステック社製の検知管を用いて容器内の気相中の硫化水素濃度を測定した。その結果を表２に示す。
【００４４】
2015085293.tif 000003
【００４５】
（実施例２〜４）
実施例１において、ギ酸系物質の種類及び濃度を表２に示すものに変えたこと以外は、実施例１と同様にした。硫化水素濃度を測定した結果を表２に示す。
【００４６】
（比較例１〜６）
実施例１において、硝酸系物質及びギ酸系物質の種類と添加濃度を表２に示すものに変えたこと以外は、実施例１と同様にした。硫化水素濃度を測定した結果を表２に示す。
【００４７】
表２に示す測定結果から、以下のことが分かる。すなわち、実施例１〜４（規定量の硝酸ナトリウム及び規定量のギ酸、ギ酸カルシウム又はギ酸ナトリウムを添加した場合）は、４８時間以上の長期間にわたって硫化水素の発生がほぼ完全に抑えられたことが分かる。これに対して、比較例１（硝酸Ｎａ及びギ酸系物質のいずれをも含有しない場合）、比較例２、３（硝酸Ｎａを含有せずにギ酸系物質だけを含有する場合）、比較例４（ギ酸系物質を含有せずに硝酸Ｎａだけを含有する場合）、比較例５（規定量のギ酸系物質を含有するが硝酸系物質の濃度が規定量未満である場合）及び比較例６（規定量の硝酸系物質を含有するがギ酸系物質の含有量が規定量未満である場合）は、２４時間という短期間のうちに硫化水素が発生した。
【産業上の利用可能性】
【００４８】
本発明は、下水処理場、し尿処理場や、食品工場、紙パルプ工場等の有機物を含有する産業排水の処理に、有効に利用される。